(57)【要約】【課題】    繰り返し使用しても荷重特性が変化せず、長期にわたって安定した状態で機能させることが可能なスイッチ用接点バネを提供することにある。【解決手段】板材にプレス加工を施して複数個のスイッチ用接点バネをブリッジ部を介して連接した状態で得ると共に、上記ブリッジ部を介して切断することにより得るスイッチ用接点バネにおいて、上記切断時に上記スイッチ用接点バネの外形に沿ったカット形状にて切断するようにしたことを特徴とするものである。【選択図】  図１
2005158577.tif 000002
【特許請求の範囲】
【請求項１】
板材にプレス加工を施して複数個のスイッチ用接点バネをブリッジ部を介して連接した状態で得ると共に、上記ブリッジ部を介して切断することにより得るスイッチ用接点バネにおいて、
上記切断時に上記スイッチ用接点バネの外形に沿ったカット形状にて切断するようにしたことを特徴とするスイッチ用接点バネ。
【請求項２】
請求項２記載のスイッチ用接点バネにおいて、
上記スイッチ用接点バネの外形と同じカット形状、又は、０〜０．０５ｍｍの範囲で外形に対して僅かに大きなカット形状にて切断するようにしたことを特徴とするスイッチ用接点バネ。
【請求項３】
請求項１又は請求項２記載のスイッチ用接点バネにおいて、
上記スイッチ用接点バネは円形ドーム形状をなしていることを特徴とするスイッチ用接点バネ。
【請求項４】
請求項１〜請求項３の何れかに記載のスイッチ用接点バネにおいて、
プリント基板上に設置され外周部全体が接点として機能するものであることを特徴とするスイッチ用接点バネ。
【発明の詳細な説明】
【技術分野】
【０００１】
本願発明は、例えば、オーディオ機器、ビデオ機器、通信機器、測定機器等の各種電気機器や電子機器において使用されるスイッチの部品であるスイッチ用接点バネに係り、特に、切断することにより個々のスイッチ用接点バネを得る際、スイッチ用接点バネの外形に略沿ったカット形状にて切断するようにし、それによって、繰り返し使用による応力集中に起因した亀裂の発生等を防止して、長期にわたって安定した機能を維持することができるように工夫したものに関する。
【背景技術】
【０００２】
例えば、オーディオ機器、ビデオ機器、通信機器、測定機器等の各種電気機器や電子機器において使用されるスイッチとしては、特許文献１に開示されているようなものがある。
尚、上記特許文献１は、本件特許出願人によるものである。
【０００３】
【特許文献１】特開２００１−２１６８６５号公報
【０００４】
上記特許文献１に開示されているスイッチとは別に図４に示すようなスイッチ２０１がある。図４（ａ）はスイッチ２０１の構成を示す平面図であり、図４（ｂ）はスイッチ２０１の断面図である。
まず、スイッチ用接点バネ２０３があると共にプリント基板２０５があって、このプリント基板２０５には中央接点部２０７と、外周接点部２０９が設けられている。
【０００５】
上記スイッチ用接点バネ２０３は上記プリント基板２０５上に設置されていて、その上にはＰＥＴ粘着テープ２１１が貼り付けられている。上記スイッチ用接点バネ２０３は、図４（ａ）に示すように、円形をなしているものであり、且つ、図４（ｂ）に示すように、ドーム形状をなしていて、ドーム部２１３とスカート部２１５とから構成されている。
【０００６】
上記スイッチ用接点バネ２０３の構成を図５乃至図７を参照して詳細に説明する。図５はスイッチ用接点バネ２０３の全体の構成を示す平面図である。スイッチ用接点バネ２０３は、既に説明したように、円形をなしていると共に、図６（ａ）に示すように、ドーム状をなしている。又、スイッチ用接点バネ２０３の中央部には凸部２１７が設けられている。
【０００７】
又、上記スイッチ用接点バネ２０３は、次のような工程を経て製造されることになる。まず、板材にプレス加工を施す。その結果、複数個のスイッチ用接点バネ２０３がブリッジ部２４１、２４１を介して板材に一体に打抜・形成された状態になる。後は、ブリッジ部２４１、２４１を切断することにより、個々のスイッチ用接点バネ２０３を独立させて得ることになる。
【０００８】
上記切断は次のようにして行われる。すなわち、図５に示すように、スイッチ用接点バネ２０３の外形に対して、所定寸法分だけ外側に直線的な切断線を２４３、２４３を設定し、該切断線２４３、２４３に沿って切断するものである。
【０００９】
又、スイッチ用接点バネ２０３としては、例えば、図８乃至図１０に示すようなタイプのものもある。図８はスイッチ用接点バネ２０３の全体の構成を示す平面図である。スイッチ用接点バネ２０３は、円形をなしていると共に、図９（ａ）及び図１０（ａ）に示すように、ドーム状をなしている。
【００１０】
又、この種のスイッチ用接点バネ２０３は、次のような工程を経て製造されることになる。まず、板材にプレス加工を施す。その結果、複数個のスイッチ用接点バネ２０３がブリッジ部２４１、２４１を介して板材に一体に打抜・形成された状態になる。後は、各スイッチ用接点バネ２０３をドーム状にするべく押圧加工して、ブリッジ部２４１、２４１を切断することにより、個々のスイッチ用接点バネ２０３を独立させて得ることになる。
【００１１】
上記切断は次のようにして行われる。すなわち、図８に示すように、スイッチ用接点バネ２０３の外形に対して、所定寸法分だけ内側に直線的な切断線を２４５、２４５を設定し、該切断線２４５、２４５に沿って切断するものである。
【発明の開示】
【発明が解決しようとする課題】
【００１２】
上記従来の構成によると次のような問題があった。
まず、前者のタイプのスイッチ用接点バネ２０３の場合であるが、この場合には、ブリッジ部２４１、２４１を切断線２４３、２４３に沿って切断した後に、僅かな突出部２４７、２４７が残ることになるが、その部分に応力集中が起こり易く、繰り返し使用によってクラック２４９が発生してしまうことがあった。このようなクラック２４９が発生してしまった場合には、スイッチ用接点バネ２０３としての健全性は損なわれてしまうことになる。
又、上記突出部２４７、２４７は、図７（ｂ）に拡大して示すように、上下方向にも突出しており（突出量
ｄ）、よって、設置した場合に、図６（ｂ）に示すように、突出部２４７、２４７以外の個所に隙間２４８が発生してしまって浮いた状態になってしまう。その浮いた個所から割れ易いという問題もあった。
【００１３】
又、後者の場合であるが、この場合にも、繰り返し使用によってブリッジ部２４１の切断個所にクラック２５１が発生してしまうことがあり、それによって、スイッチ用接点バネ２０３の健全性が損なわれてしまうことが懸念されていた。
又、この場合には、スイッチ用接点バネ２０３の外形の内側であってドーム形状として立体的になっている個所を切断することになるため、図９（ｂ）、図１０（ｂ）に示すように、切断個所に隙間２５０が発生してしまい、そこから割れ易いという問題があった。
【００１４】
本発明はこのような点に基づいてなされたものでその目的とするところは、繰り返し使用しても荷重特性が変化せず、長期にわたって安定した状態で機能させることが可能なスイッチ用接点バネを提供することにある。
【課題を解決するための手段】
【００１５】
上記目的を達成するべく本願発明の請求項１によるスイッチ用接点バネは、板材にプレス加工を施して複数個のスイッチ用接点バネをブリッジ部を介して連接した状態で得ると共に、上記ブリッジ部を介して切断することにより得るスイッチ用接点バネにおいて、上記切断時に上記スイッチ用接点バネの外形に沿ったカット形状にて切断するようにしたことを特徴とするものである。
又、請求項２によるスイッチ用接点バネは、請求項１記載のスイッチ用接点バネにおいて、上記接点バネの外形と同じカット形状、又は、０〜０．０５ｍｍの範囲で外形に対して僅かに大きなカット形状にて切断するようにしたことを特徴とするものである。
又、請求項３によるスイッチ用接点バネは、請求項１又は請求項２記載のスイッチ用接点バネにおいて、上記スイッチ用接点バネは円形ドーム形状をなしていることを特徴とするものである。
又、請求項４によるスイッチ用接点バネは、請求項１〜請求項３の何れかに記載のスイッチ用接点バネにおいて、プリント基板上に設置され外周部全体が接点として機能するものであることを特徴とするものである。
【発明の効果】
【００１６】
以上詳述したように本発明の請求項１によるスイッチ用接点バネによると、切断時にスイッチ用接点バネの外形に沿ったカット形状にて切断するようにしたので、従来のように、切断後に残留した突出個所或いは凹み個所に応力集中に起因した亀裂が発生して、スイッチ用接点バネの健全性が損なわれるようなことをなくすことができる。
又、設置した場合においては、全周全ての個所が接地され、従来のように、部分的に浮いている個所が存在することはないので、繰り返し使用によって変形してしまうようなこともなく、長期にわたって安定した機能を提供することが可能になる。
【発明を実施するための最良の形態】
【００１７】
以下、図１及び図２を参照して本発明の一実施の形態を説明する。図１は本実施の形態によるスイッチ用接点バネ１の全体の構成を示す平面図である。スイッチ用接点バネ１は、円形をなしていると共に、図２（ａ）及び図２（ｂ）に示すように、ドーム状をなしている。又、スイッチ用接点バネ１は、ドーム部２と、その外周に設けられたスカート部4とから構成されていて、中央部には凸部６が設けられている。
【００１８】
又、上記スイッチ用接点バネ１は、次のような工程を経て製造されることになる。まず、図３に示すように、板材３にプレス加工を施す。その結果、複数個のスイッチ用接点バネ１がブリッジ部５、５を介して板材３に一体に打抜・形成された状態になる。後は、各スイッチ用接点バネ１をドーム状にするべく押圧加工して、ブリッジ部５、５を切断することにより、個々のスイッチ用接点バネ１を独立させて得ることになる。
【００１９】
上記ブリッジ部５、５を切断する際、その切断線７、７は、図１に示すように、スイッチ用接点バネ１の外形に沿った形状の切断線７、７となっている。
尚、切断線７、７を決定する場合には、スイッチ用接点バネ１の外形に一致した線上に設定するか、０〜０．０５ｍｍの範囲で、外形より僅かに大きな外形線上に設定することになる。それ以上大きな外形線にて切断した場合には、応力集中が生じ易い突出部が残ってしまうことになる。
【００２０】
以上本実施の形態によると次のような効果を奏することができる。
まず、ブリッジ部５、５を切断する際に、スイッチ用接点バネ１の外形に沿った形状の切断線７、７を設定し（円形の一部のような切断線）、該切断線７、７に沿って切断した後に突出部が残留しないように構成しているので、従来のように、切断後に残留した突出個所或いは凹み個所に応力集中に起因した亀裂が発生して、スイッチ用接点バネ１の健全性が損なわれるようなことをなくすことができる。
又、設置した場合においては、全周全ての個所が接地され、従来のように、部分的に浮いている個所が存在することはないので、繰り返し使用によって変形してしまったり割れたりするようなこともなく、長期にわたって安定した機能を提供することが可能になる。
尚、厳密にいうと、図２（ｂ）、図２（ｃ）に示すように、切断線７に沿った切断個所の下端が僅かに下方に突出するが、その突出量（Ｄ）は図７（ｂ）に示す従来の（ｄ）に比べて極めて微小であり、上記したように、全周全ての個所が接地されているといっていい。
【００２１】
尚、本発明は前記一実施の形態に限定されるものではない。
前記一実施の形態の場合には、円形ドーム状のスイッチ用接点バネを例に挙げて説明したが、それ意外にも、例えば、楕円形ドーム形状、等様々な形状のスイッチ用接点バネに適用可能である。
又、前記一実施の形態では、中央部に凸部６があるタイプのスイッチ用接点バネを例に挙げて説明したが、そのような凸部がないタイプのスイッチ用接点バネに対しても同様に適用可能である。
又、ブリッジの個数などはこれを特に限定するものではない。
【産業上の利用可能性】
【００２２】
本願発明は、切断することにより個々のスイッチ接点バネを得る際、スイッチ用接点バネの外形に略沿ったカット形状にて切断するようにし、それによって、繰り返し使用による応力集中に起因した亀裂の発生等を防止して、長期にわたって安定した機能を維持することができるように工夫したものに関し、例えば、オーディオ機器、ビデオ機器、通信機器、測定機器等の各種電気機器や電子機器において使用されるスイッチの部品であるスイッチ用接点バネに好適である。
【図面の簡単な説明】
【００２３】
【図１】本発明の一実施の形態を示す図で、スイッチ用接点バネの全体構成をす平面図である。
【図２】本発明の一実施の形態を示す図で、図２(ａ)は図１のａ−ａ矢視図、図２(ｂ)は図１のｂ−ｂ断面図、図２（ｃ）は図２（ｂ）のｃ部を拡大して示す図である。
【図３】本発明の一実施の形態を示す図で、板材にプレス加工を施した後の状態を示す一部平面図である。
【図４】従来例を示す図で、図４（ａ）はスイッチの構成を示す平面図、図４（ｂ）はスイッチの構成を示す断面図である。
【図５】従来例を示す図で、ブリッジ部付きのスイッチ用接点バネの構成を示す平面図である。
【図６】従来例を示す図で、図６（ａ）は図５のａ−ａ矢視図、図６（ｂ）は図６（ａ）のｂ部を拡大して示す図である。
【図７】従来例を示す図で、図７（ａ）は図５のＶＩＩ−ＶＩＩ断面図、図７（ｂ）は図７（ａ）のｂ部を拡大して示す図である。
【図８】従来例を示す図で、ブリッジ部付きのスイッチ用接点バネの構成を示す平面図である。
【図９】従来例を示す図で、図９（ａ）は図８のａ−ａ矢視図、図９（ｂ）は図９（ａ）のｂ部を拡大して示す図である
【図１０】従来例を示す図で、図１０（ａ）は図８のＸ−Ｘ断面図、図１０（ｂ）は図１０（ａ）のｂ部を拡大して示す図である。
【符号の説明】
【００２４】
１  スイッチ用接点バネ
３  板材
５  ブリッジ部
７  切断線      
【図１】
2005158577.tif 000003
【図２】
2005158577.tif 000004
【図３】
2005158577.tif 000005
【図４】
2005158577.tif 000006
【図５】
2005158577.tif 000007
【図６】
2005158577.tif 000008
【図７】
2005158577.tif 000009
【図８】
2005158577.tif 000010
【図９】
2005158577.tif 000011
【図１０】
2005158577.tif 000012